(57)【要約】【課題】給水装置の小型化及び軽量化を実現することができ、さらには製造コストを低減させることができる給水装置を提供する。【解決手段】水を圧送するポンプ１と、ポンプ１の運転を制御する制御盤２と、ポンプ１の振動を吸収する防振架台９と、を備え、ポンプ１及び制御盤２を防振架台９に直接取り付けた。【選択図】    図１
2004308176.tif 000002
【特許請求の範囲】
【請求項１】
水を圧送するポンプと、
前記ポンプの運転を制御する制御盤と、
前記ポンプの振動を吸収する防振架台と、を備え、
前記ポンプ及び前記制御盤を前記防振架台に直接取り付けたことを特徴とする給水装置。
【請求項２】
前記ポンプの吐出口に接続される配管部を更に備え、該配管部を前記防振架台に直接取り付けたことを特徴とする請求項１に記載の給水装置。
【発明の詳細な説明】
【０００１】
【発明の属する技術分野】
本発明は、オフィスビルやマンションなどの建物に水を供給するための給水装置に関するものである。
【０００２】
【従来の技術】
オフィスビルやマンションなどの建物に水（水道水）を供給するための装置として給水装置が広く使用されている。一般に、この給水装置は、水を圧送するための複数台の遠心ポンプと、これらの遠心ポンプの運転を制御する制御盤とを備えている。遠心ポンプの吸込口は受水槽もしくは配水管に接続され、これらより導入された水は遠心ポンプにより所定の圧力に昇圧された後、建物内部に設けられた配管を介して各部屋に供給される。
【０００３】
図２に従来の給水装置を示す。図２（ａ）は従来の給水装置の正面図であり、図２（ｂ）は図２（ａ）に示す給水装置の側面図であり、図２（ｃ）は図２（ａ）に示す給水装置の平面図である。図２（ａ）乃至図２（ｃ）に示すように、給水装置は、３台の立型遠心ポンプ１と、遠心ポンプ１の運転を制御する制御盤２と、遠心ポンプ１の吐出口６に接続される配管部３とを備えている。
【０００４】
遠心ポンプ１の吸込口５は図示しない受水槽もしくは配水管に接続されている。そして、遠心ポンプ１を稼動させることによって、水道水は吸込口５から遠心ポンプ１内に吸い込まれ、所定の圧力に昇圧された後、配管部３を介して所要の建物に供給される。制御盤２は、遠心ポンプ１から吐出された水道水が所定の圧力にまで昇圧されるように遠心ポンプ１のモータ７の回転速度を制御するようになっている。
【０００５】
上述した遠心ポンプ１、配管部３、及び制御盤２は、いずれもユニットベース８の上面に固定され、これにより１ユニットとしての給水装置が構成される。給水装置の設置場所には防振架台９が置かれ、この防振架台９の上に給水装置がボルトを介して固定される。防振架台９は複数の吸振体２０を備えており、これらの吸振体２０により給水装置全体の振動が防止されるようになっている。
【０００６】
【発明が解決しようとする課題】
上述のように構成される給水装置においては、必要とされる給水量が増加するに従って遠心ポンプは大型化し、また、遠心ポンプの台数を増やす必要がある。このため、遠心ポンプの重量が増加し、ユニットベースに載置される遠心ポンプや制御盤などの各装置の総重量が増加することになる。その結果、ユニットベースの機械的強度を確保する必要が生じ、ユニットベースが大型化して、ユニットベースの重量が増加することとなる。
【０００７】
このようにユニットベースが大型化すると、給水装置全体の高さが高くなると共に、ユニットベースを含む給水装置の重量が増加するという問題が生じる。また、給水装置の重量に耐え得る防振架台を用意する必要が生じ、防振架台のコストが上昇するという問題があった。
【０００８】
本発明は、上述した従来の問題点を解決するためになされたもので、給水装置の小型化及び軽量化を実現することができ、さらには製造コストを低減させることができる給水装置を提供することを目的とする。
【０００９】
【課題を解決するための手段】
上述した目的を達成するために、本発明は、水を圧送するポンプと、前記ポンプの運転を制御する制御盤と、前記ポンプの振動を吸収する防振架台と、を備え、前記ポンプ及び前記制御盤を前記防振架台に直接取り付けたことを特徴とする。
【００１０】
このように構成された本発明によれば、ユニットベースを省略することが可能となるので、給水装置を軽量化させることができるとともに、給水装置の高さを低くすることができる。また、ユニットベースを必要としないため、製造コストを低減させることができる。さらに、防振架台が予め給水装置に組み込まれているので、設置現場での給水装置の組立作業を省略することができる。
【００１１】
本発明の好ましい一態様は、前記ポンプの吐出口に接続される配管部を更に備え、該配管部を前記防振架台に直接取り付けたことを特徴とする。
通常、給水装置の運転中においては、ポンプから振動や騒音が発生し、ポンプに接続されている配管部を介して建物に振動や騒音が伝達されてしまう。本発明によれば、配管部を直接防振架台に取り付けることにより、配管部に伝達された振動を防振架台によって吸収することができ、これにより、ポンプの振動及び騒音が建物に伝達されてしまうことが防止できる。
【００１２】
【発明の実施の形態】
以下、本発明の一実施形態について図面を参照して説明する。
図１（ａ）は本発明の一実施形態に係る給水装置を示す正面図であり、図１（ｂ）は図１（ａ）に示す給水装置の側面図であり、図１（ｃ）は図１（ａ）に示す給水装置の平面図である。
【００１３】
図１（ａ）乃至図１（ｃ）に示すように、給水装置は、水（水道水）を圧送するための３台の立型遠心ポンプ１と、これらの遠心ポンプ１の運転を制御する制御盤（制御装置）２と、それぞれの遠心ポンプ１に接続される配管部３と、遠心ポンプ１の振動を吸収する防振架台９とを備えている。遠心ポンプ１は、複数段の羽根車（図示せず）と、羽根車を回転駆動するモータ７とを備えている。遠心ポンプ１の下部には吸込口５及び吐出口６が設けられており、これらは同じ高さに位置している。吸込口５は図示しない受水槽もしくは配水管に接続され、吐出口６は配管部３に接続されている。
【００１４】
配管部３は、３本の連結配管１１と１本の吐出配管（吐出しヘッダー）１２と吸込配管（吸込ヘッダー；図示せず）を備えている。連結配管１１の上流側の端部は各遠心ポンプ１の吐出口６にそれぞれ接続されており、各連結配管１１の下流側の端部は吐出配管１２に接続されている。このような構成により、それぞれの遠心ポンプ１から吐出された水は各連結配管１１を介して吐出配管１２に移送され、吐出配管１２内で水の流れが合流される。
【００１５】
連結配管１１には、水の流量を検出するフロースイッチ１４と、水の逆流を防止する逆止弁１５と、連結配管１１の開閉を行うスルース弁１６とが設けられている。連結配管１１に流入した水は、フロースイッチ１４、逆止弁１５、スルース弁１６の順に通過し、吐出配管１２を介して外部に吐出される。なお、吐出配管１２の出口１２ａは、建物に設置されている水供給配管に接続される。
【００１６】
各遠心ポンプ１の吐出側には図示しない圧力センサが設けられており、遠心ポンプ１から吐出された水の圧力（以下、吐出圧力という）が圧力センサによって検出されるようになっている。圧力センサは制御盤２に接続されており、圧力センサから制御盤２に圧力センサの検出値が送信されるようになっている。
【００１７】
制御盤２はインバータ（図示せず）を備えており、このインバータによって遠心ポンプ１のモータ７の回転速度が加減速されるようになっている。そして、制御盤２は、圧力センサから送られてきた検出値（水の吐出圧力）に基づき、水が所定の圧力にまで昇圧されるように遠心ポンプ１のモータ７の回転速度を制御する。このような構成により、吸込口５から吸い込まれた水は、遠心ポンプ１によって所定の圧力に昇圧され、配管部３を介して所要の建物に供給される。
【００１８】
図１（ａ）及び図１（ｂ）に示すように、遠心ポンプ１、制御盤２、及び配管部３は、防振架台９の上面に固定されている。この防振架台９は、上部架台１８及び下部架台１９と、上部架台１８と下部架台１９との間に配置された複数の吸振体２０とを備えている。吸振体２０は、ゴムなどの弾性体と、この弾性体の周囲を被覆する樹脂とから構成されている。
【００１９】
このように構成される防振架台９によれば、防振架台９の上に載置された遠心ポンプ１の振動が設置面に伝達されることが防止される。また、遠心ポンプ１やこの遠心ポンプ１に接続される配管部３の振動が防振架台９により吸収され、これにより、配管部３を介して振動や騒音が建物に伝達されてしまうことが防止される。
【００２０】
遠心ポンプ１、制御盤２、及び配管部３は、図示しないボルトにより上部架台１８に固定されている。そして、本実施形態では、遠心ポンプ１や制御盤２などの各装置が防振架台９に固定された状態で１ユニットとしての給水装置が構成される。給水装置は防振架台９が取り付けられた状態で設置現場に搬入され、給水装置の吐出配管１２と建物に備えられている水供給配管とが接続される。
【００２１】
上述したように、遠心ポンプ１や制御盤２などの各装置が防振架台９に直接固定されているため、ユニットベースを不要とすることができる。これにより、給水装置の重量及び製造コストを低減させることができ、給水装置の高さを低くすることができる。また、遠心ポンプ１、制御盤２、及び配管部３は予め防振架台９に固定されているので、設置現場での給水装置の組立作業を省略することができる。なお、本実施形態に係る給水装置は３台の遠心ポンプを備えているが、必要とされる給水量に応じて遠心ポンプの台数を変更することが可能である。
【００２２】
【発明の効果】
以上述べたように、本発明によれば、ユニットベースを省略することが可能となるので、給水装置を軽量化させることができるとともに、給水装置の高さを低くすることができる。また、ユニットベースを必要としないため、製造コストを低減させることができる。さらに、防振架台が予め給水装置に組み込まれているので、設置現場での給水装置の組立作業を省略することができる。
【図面の簡単な説明】
【図１】図１（ａ）は本発明の一実施形態に係る給水装置を示す正面図であり、図１（ｂ）は図１（ａ）に示す給水装置の側面図であり、図１（ｃ）は図１（ａ）に示す給水装置の平面図である。
【図２】図２（ａ）は従来の給水装置の正面図であり、図２（ｂ）は図２（ａ）に示す給水装置の側面図であり、図２（ｃ）は図２（ａ）に示す給水装置の平面図である。
【符号の説明】
１      遠心ポンプ
２      制御盤
３      配管部
５      吸込口
６      吐出口
７      モータ
８      ユニットベース
９      防振架台
１１      連結配管
１２      吐出配管
１４      フロースイッチ
１５      逆止弁
１６      スルース弁
１８      上部架台
１９      下部架台
２０      吸振体
【図１】
2004308176.tif 000003
【図２】
2004308176.tif 000004